(57)【特許請求の範囲】
【請求項１】
原稿台上に配置した原稿の原稿サイズを検知する原稿検知装置において、
前記原稿台の下方から光ビームを放射して、所定の基準位置を始点として所定の軌跡上を走査し、この走査過程の軌跡上からの反射状態を示した反射光受光信号、及び、該軌跡上の光ビームの走査位置を示すための走査位置信号を出力する原稿検知部と、
前記原稿検知部からの反射光受光信号、及び、前記走査位置信号からなる走査軌跡の検知データに基づいて、前記原稿の縦又は横の配置状態を判断し原稿サイズを決定する検知信号処理部とを有し、
この検知信号処理部は、前記走査軌跡の検知データに応じて選択すべき原稿サイズを、予め登録して設定可能な記憶部を有し、該検知データが複数の原稿サイズを示している場合に、前記記憶部に登録されている原稿サイズを自動選択して検知することを特徴とする原稿検知装置。
【請求項２】
原稿台上に配置した原稿の原稿サイズを検知する原稿検知装置において、
前記原稿台の下方から光ビームを放射して、所定の基準位置を始点として所定の軌跡上を走査し、この走査過程の軌跡上からの反射状態を示した反射光受光信号、及び、該軌跡上の光ビームの走査位置を示すための走査位置信号を出力する原稿検知部と、
前記原稿検知部からの反射光受光信号、及び、前記走査位置信号からなる走査軌跡の検知データに基づいて、前記原稿の縦又は横の配置状態を判断し原稿サイズを決定する検知信号処理部とを有し、
この検知信号処理部は、前記走査軌跡の検知データに応じて選択すべき原稿サイズを登録した記憶部を有し、前記走査軌跡での検知データが近似する複数種類の原稿サイズのうちから、検知を禁止する対象の原稿サイズを設定可能に構成され、この設定した原稿サイズを除いた他の原稿サイズを自動選択して検知することを特徴とする原稿検知装置。
【請求項３】
原稿台上の原稿サイズを判定するための１ビームセンサを更に備え、前記１ビームセンサは、前記原稿台の下方から１つの光ビームを放射し、前記検知信号処理部で選択した原稿サイズとは別の種類の原稿サイズを検出して、少なくとも２種類の原稿サイズを検知することを特徴とする請求項１に記載の原稿検知装置。
【請求項４】
原稿台上の原稿サイズを判定するための１ビームセンサを更に備え、ビームセンサは、前記原稿台の下方から１つの光ビームを放射し、前記検知信号処理部で設定された検知禁止の原稿サイズとは、別の種類の原稿サイズを検出して、少なくとも２種類の原稿サイズを検知することを特徴とする請求項２に記載の原稿検知装置。
【発明の詳細な説明】
【０００１】
【発明の属する技術分野】
本発明は、電子複写機やスキャナ等の原稿台に配置された原稿のサイズ及び位置を光ビームを放射し、かつ、この反射光を受光して検知する原稿検知装置に関する。
【０００２】
【従来の技術】
従来、電子複写機などでは、原稿を原稿台（コンタクトガラス）上に配置して、原稿の記載内容を光学的に読み取る前に、その原稿のサイズ及び位置を検知して、例えば検知した原稿サイズに適合する複写紙を収納したトレーを自動選択し、その複写紙への転写を行っている。また原稿台上の原稿が、そのサイズの所定位置に配置されていない場合、この不的確な配置状態を使用者に報知するために液晶ディスプレイ（ＬＣＤ）などで画面表示している。
【０００３】
このような原稿のサイズ及び位置の検知では、複数の光反射検知センサを用いている。この複数の光反射検知センサは、原稿台上に多種サイズの原稿を配置した際に、その原稿サイズの差が発生する位置に対応して発光部と受光部を配置している。そして、原稿押さえ板（圧板）の開閉を検知する検知センサの信号（閉じた状態の信号）に基づいて、複数の発光部と受光部（光反射検知センサ）における特定の検知信号、すなわち、複数の光反射検知センサからの出力信号の原稿台面の原稿サイズ差の２値（ハイレベル又はローレベル）の組み合わせによって、原稿台上の原稿サイズ及び位置を判定している。
【０００４】
このような原稿サイズ及び位置の検知方法では、多種の原稿サイズ（ＡＢ系、インチ系、その他の各国の原稿サイズ）に対応するため、その仕様別の光反射検知センサを配置する必要がある。また、高精度の検知を行うには、複数の光反射検知センサを所定位置に正確に配置する必要がある。この場合、その配置作業が面倒であり、コストが嵩むことになる。このような改善を図った次に説明する原稿検知装置が知られている。
【０００５】
図１２はこの従来の原稿検知装置の例の構成を示す断面図であり、図１３はこの装置の動作を説明するための図面である。この例は、原稿台の下方からコンタクトガラスに向けて２つの光ビームを放射して走査し、この反射光から原稿サイズを検知して、２つの光ビームの走査で横切る原稿の位置を検知しており、任意の原稿サイズの検知が可能である。図１２及び図１３において、発光ダイオード（光源）１からの発光が集光レンズ２で集光され、反射ミラー３で反射されて回転ミラー４に入射される。回転ミラー４は、角度が異なる２枚のミラーが取り付けられている。この２枚のミラーが半回転ごとに異なる角度で２つの光ビームを図示しない圧板や原稿５に交互に放射して走査する。
【０００６】
圧板や原稿５に原稿台６を通じて放射された光ビームが反射され、この反射光が回転ミラー４を通じてシリンドリカルレンズ７に入射される。このシリンドリカルレンズ７で非点収差が発生し、光ビームが当たる圧板と原稿５との遠近（距離差）によって、受光素子７上のスポット形状が変化する。この変化データから圧板又は原稿５からの反射を制御部１２で判別している。受光素子（フォトダイオード）１１の出力信号である受光信号（ＲＣＶ信号）は、検知開始を判断するための原稿台６及び原稿台フレームの境目に配置される図示しない基準板からの反射光と原稿５からの反射光とが連続的した信号である。これらの反射光の信号の相対的な受光タイミングを、制御部１２が判断して、その原稿台６上の原稿サイズ及び位置を判断している。
【０００７】
また、制御部１２からの駆動信号で回転ミラー４がモータ８で回転して２つの光ビームを走査する場合、エンコーダディスク９とエンコーダ検知センサ１０で所定間隔ごとに発生する走査開始及び走査開始後の光ビームの走査位置を示す信号（ＳＴ信号／パルス信号）を制御部１２が取り込む。そして、制御部１２は、図示しないカウンタなどで所定間隔の間を一定周期のクロック信号で計数して、走査開始及び走査開始後の光ビームの走査位置を判断している。
【０００８】
この走査開始の基準を得るため、以降の図１及び図２に示すように、原稿台６と原稿台フレームの境目とに基準板を配置している。この場合、境目からの外光による外乱で受光素子１１からの受光信号（ＲＣＶ信号）に変動が発生するため、基準板を通過した時点を走査検知の開始点とすることが出来ない。このため、基準板はある幅を有しており、光ビームが、この幅を走査し、かつ、前記の境目に到達する前に走査開始のＳＴ信号を発生させ、このときの基準板からの反射光の受光信号ＲＣＶを認識し、この時点を検知開始時点としている。この検知開始点と原稿端とのタイミング差Ｔ１，Ｔ２から制御部１２が原稿台６上の原稿サイズ及び位置を判断している。
【０００９】
このように走査型原稿検知センサは、２つの光ビームから生成した２種類の基準板検知開始点から原稿端までのＲＣＶ信号を、ＳＴ信号及びクロック信号に基づいて判断（解析）している。この判断データから、制御部１２が、予め記憶している複数種の原稿サイズに対応する格納データと比較して、原稿台上の原稿サイズを決定している。この決定（検知）データに基づいて、原稿サイズが適合する電子複写機の複写紙トレーなどを自動選択している。
【００１０】
このような原稿台上の原稿のサイズ及び位置を検知する多種の装置が提案されている。例えば、特開平２−３０８２３６号公報に開示されている「原稿サイズ・位置検知装置」があり、この例は原稿台を光走査し、原稿からの反射光の受信信号を検出し、この光走査による第１走査軌跡と第２走査軌跡との位置情報を、予め定められている設定情報を比較して、読み取り対象の原稿のサイズ及び位置を判断している。また、特開平７−２９５１１６号公報に開示されている「複写装置」があり、この例は原稿台の保持部材に濃度基準部を設けて、検出信号を比較している。更に、特開平９−１６３０８３号公報に開示されている「原稿エッジ検出装置」があり、この例は受光部の中心を対象とする位置に４つの受光領域を形成し、入射光を一点にレンズと円筒レンズ又はエッジ部によって集光している。
【００１１】
このような原稿検知装置では、次のような２つの問題がある。（１）走査型原稿検知装置における２つの光ビーム走査による２つの検知データ（第１及び第２走査軌跡）を用いて原稿サイズ（例えば、Ａ４）の縦横状態を識別し、次に第１走査軌跡の検知データで原稿サイズを決定する方式の場合は、圧板から原稿端のでの第１走査軌跡の検知データで原稿サイズの判別が困難な場合がある。例えばＬＧ８．５×１４とＬＴ縦８．５×１１との原稿では、ＬＴ縦８．５×１１の原稿のみが走査されるため、その検知データが同一となり、ＬＧ８．５×１４又はＬＴ縦８．５×１１の原稿サイズの判別が困難である。
【００１２】
（２）原稿検知装置による第１走査軌跡の検知データのみで原稿サイズを決定する方式の場合は、検知データが近似する原稿サイズの誤検出が生じ易い。例えばＬＴ横１１×８．５とＡ４横との原稿の場合、この２つの原稿を光ビームで走査できるが、その検知データが近似しており、原稿台上に原稿を所定位置に正確に配置していない場合などでは、その誤検知が生じる。
【００１３】
【発明が解決しようとする課題】
このように上記従来例の光ビームによる走査では、ＬＧ８．５×１４とＬＴ縦８．５×１１との原稿サイズの判別が困難であり、ＬＴ横１１×８．５とＡ４横の原稿の場合に誤検知が生じ易いという不都合ある。
【００１４】
本発明は、このような従来の技術における課題を解決するものであり、多種類の原稿サイズに対する正確な検知が出来ると共に、検知データが近似する原稿サイズの誤検知を低減できる原稿検知装置を提供することを目的とするものである。
【００１５】
【課題を解決するための手段】
上記課題を達成するために、請求項１に記載の発明は、原稿台上に配置した原稿の原稿サイズを検知する原稿検知装置において、前記原稿台の下方から光ビームを放射して、所定の基準位置を始点として所定の軌跡上を走査し、この走査過程の軌跡上からの反射状態を示した反射光受光信号、及び、該軌跡上の光ビームの走査位置を示すための走査位置信号を出力する原稿検知部と、前記原稿検知部からの反射光受光信号、及び、前記走査位置信号からなる走査軌跡の検知データに基づいて、前記原稿の縦又は横の配置状態を判断し原稿サイズを決定する検知信号処理部とを有し、この検知信号処理部は、前記走査軌跡の検知データに応じて選択すべき原稿サイズを、予め登録して設定可能な記憶部を有し、該検知データが複数の原稿サイズを示している場合に、前記記憶部に登録されている原稿サイズを自動選択して検知することを特徴とするものである。
【００１６】
請求項２に記載の発明は、原稿台上に配置した原稿の原稿サイズを検知する原稿検知装置において、前記原稿台の下方から光ビームを放射して、所定の基準位置を始点として所定の軌跡上を走査し、この走査過程の軌跡上からの反射状態を示した反射光受光信号、及び、該軌跡上の光ビームの走査位置を示すための走査位置信号を出力する原稿検知部と、前記原稿検知部からの反射光受光信号、及び、前記走査位置信号からなる走査軌跡の検知データに基づいて、前記原稿の縦又は横の配置状態を判断し原稿サイズを決定する検知信号処理部とを有し、この検知信号処理部は、前記走査軌跡の検知データに応じて選択すべき原稿サイズを登録した記憶部を有し、前記走査軌跡での検知データが近似する複数種類の原稿サイズのうちから、検知を禁止する対象の原稿サイズを設定可能に構成され、この設定した原稿サイズを除いた他の原稿サイズを自動選択して検知することを特徴とするものである。
【００１７】
請求項３に記載の発明は、請求項１に記載の発明において、原稿台上の原稿サイズを判定するための１ビームセンサを更に備え、前記１ビームセンサは、前記原稿台の下方から１つの光ビームを放射し、前記検知信号処理部で選択した原稿サイズとは別の種類の原稿サイズを検出して、少なくとも２種類の原稿サイズを検知することを特徴とするものである。
【００１８】
請求項４に記載の発明は、請求項２に記載の発明において、原稿台上の原稿サイズを判定するための１ビームセンサを更に備え、１ビームセンサは、原稿台の下方から１つの光ビームを放射し、検知信号処理部で選択した原稿サイズとは別の種類の原稿サイズを検出して、少なくとも２種類の原稿サイズを検知することを特徴とするものである。
【００１９】
このような構成の請求項１に記載の発明は、第１走査軌跡の検知データが同一となる、例えばＬＧ８．５×１４とＬＴ縦８．５×１１との原稿サイズに対して、使用者が設定走査表示部（設定モード画面）などから検知する原稿サイズを選択するように設定できるため、多種（例えば、ＬＧ８．５×１４とＬＴ縦８．５×１１）の原稿サイズから特定の原稿サイズに対する正確な検知が行われる。
【００２０】
また請求項２に記載の発明は、検知データが近似する原稿サイズ、例えばＬＴ横１１×８．５とＡ４横との原稿を検知する場合、この両方又は一方の原稿サイズを検知するように使用者が設定走査表示部（設定モード画面）などから設定している。すなわち、使用しない原稿サイズの検知禁止を使用者が設定走査表示部（設定モード画面）から設定できるため、検知データが近似する原稿サイズ、例えば、ＡＢ系、インチ系、その他の各国の原稿サイズに対する誤検知が低減する。
【００２１】
さらに請求項３，４に記載の発明は、それぞれ請求項１，２に記載の原稿検知センサ及び１ビームセンサによって、３つの同一の検知データとなる原稿サイズ、例えば、ＬＴ縦８．５×１１，Ｆ８．５×１３及びＬＧ８．５×１４の３つの原稿サイズに対して２つの原稿サイズに対する正確な検知が可能になる。
【００２２】
【発明の実施の形態】
つぎに本発明の実施形態を図面を参照して詳細に説明する。図１は本発明の第１実施形態（請求項１対応）における構成を示す斜視／ブロック図である。この実施形態は、原稿サイズ及び位置の検知対象となる原稿が載せ置かれる原稿台１５と、後記する検知開始時点を得るために原稿台１５と原稿台フレームとの境目に配置される基準板１６と、原稿サイズ及び位置を光ビームで走査する原稿検知センサ２０とを備えている。さらにこの実施形態は、原稿検知センサ２０からの受光信号（ＲＣＶ信号）及び以降で説明するＳＴ信号の処理を実行し、かつ図示しないモータ駆動信号及び発光用の駆動信号を送出する検知信号処理部３０を備えている。
【００２３】
原稿検知センサ２０は、エンコーダディスク及びエンコーダ検知センサ（ＬＥＤ／ＰＤ）で構成され、かつ図示しないモータで回転して所定間隔ごとに走査開始及び走査開始後の光ビームの走査位置を示す信号（ＳＴ信号／パルス信号）を送出するエンコーダ部２１と、このエンコーダ部２１の図における上部に固定された三角台２２と、三角台２２の両側に傾斜して配置された回転ミラー２３ａ，２３ｂとを有している。
【００２４】
さらに原稿検知センサ２０は、検知信号処理部３０からの駆動信号で発光する発光ダイオード（ＬＥＤ）２４と、この発光ダイオード２４の発光を反射して回転ミラー２３ａ，２３ｂに入射させるための微分反射ミラー２５と、回転ミラー２３ａ，２３ｂからの反射光を集光するレンズ２６と、このレンズ２６からの入射光を光電変換した受光信号（ＲＣＶ信号）を検知信号処理部３０に送出する受光素子（フォトダイオード）２７とを備えている。
【００２５】
検知信号処理部３０は、原稿検知センサ２０からの受光信号（ＲＣＶ信号）及びエンコーダ部２１からのＳＴ信号を処理し、かつ図示しないモータ及び発光ダイオード２４への駆動信号をマイクロコンピュータ３２と共に処理して送出するＡＰＳ処理部３１と、ＡＰＳ処理部３１とデータ／アドレスバスラインで接続されて検出対象の原稿サイズ及び位置の検知データを出力するマイクロコンピュータ３２と、マイクロコンピュータ３２に接続されて設定モード画面表示及び入力操作を行うタッチパネルの設定走査表示部３３を有している。
【００２６】
ＡＰＳ処理部３１は、図示しないモータ及び発光ダイオード２４への駆動信号を送出する駆動制御回路、ＳＴ信号から先頭値を検出する先頭検知回路、ＲＣＶ信号から反射光を検知する反射光検知回路、Ａ／Ｄ変換器、カウンタ、メモリ、レジスタ等を備えて構成されている。
【００２７】
なおマイクロコンピュータ３２は、この原稿検知センサ２０を電子複写機などに搭載する場合、この電子複写機に搭載されるマイクロコンピュータと共用するように構成しても下記と同様に作動する。更に、設定走査表示部３３も電子複写機に設けられる各種操作用のタッチパネル（設定モード画面）と共用するように構成しても下記と同様に作動する。
【００２８】
つぎにこの第１実施形態の作動について説明する。原稿台１５の下方に配置された原稿検知センサ２０から、基準板１６を検知開始時点として、原稿台１５に向けて光ビーム１，２を放射して走査する。この反射光の走査軌跡１，２から検知信号処理部３０が、原稿台１５上の原稿サイズを検知する。この場合２つの光ビーム１，２の走査で横切る原稿の位置を検知できるため、検知信号処理部３０及びマイクロコンピュータ３２の処理によって任意の原稿サイズ及び位置の判定が可能になる。
【００２９】
図１において、発光ダイオード２４からの発光が微分反射ミラー２５で微分反射されて回転ミラー２３ａ，２３ｂに入射される。回転ミラー２３ａ，２３ｂは、角度が異なる２枚のミラーが取り付けられている。この２枚のミラーが半回転ごとに異なる角度で２つの光ビーム１，２を図示しない圧板や原稿に交互に放射して走査する。
【００３０】
原稿台１５上の圧板や原稿で光ビーム１，２が反射され、この反射光が回転ミラー２３ａ，２３ｂから微分反射ミラー２５、レンズ２６を通過して受光素子２７に入射する。受光素子２７上のスポット形状が光ビーム１，２が当たる圧板と原稿との遠近（距離差）によって変化する。この場合、受光素子２７の出力である受光信号（ＲＣＶ信号）は、検知開始を判断するための原稿台１５と原稿台１５のフレームとの境目に配置される基準板１６からの反射光と原稿からの反射光とが連続的した信号であり、これらの反射光の相対的な受光タイミングを検知信号処理部３０で判断することによって、原稿台１５上の原稿サイズ及び位置を検知する。
【００３１】
検知信号処理部３０からの駆動信号で回転ミラー２３ａ，２３ｂが図示しないモータによって回転して、２つの光ビーム１，２を走査する場合、エンコーダ部２１が所定間隔ごとにＳＴ信号を検知信号処理部３０に送出する。また検知信号処理部３０では、図示しないカウンタなどＳＴ信号の所定間隔の間を一定周期のクロック信号で計数して、走査開始及び走査開始後の光ビーム１，２の走査位置を検知する。
【００３２】
図２は図１中の回転ミラー２３ａ，２３ｂの動作を説明するための図である。回転ミラー２３ａ，２３ｂには、発光ダイオード２４の発光が微分反射ミラー２５で微分反射して入射される。回転ミラー２３ａ，２３ｂは、エンコーダ部２１のエンコーダディスクと共に図示しないモータで回転して、２つの光ビーム１，２を放射する。その反射光によって以降で説明する走査軌跡１，２を、エンコーダ部２１のエンコーダ検知センサが送出する走査開始及び走査開始後の光ビームの走査位置を示す信号（ＳＴ信号）、及び、受光素子２７が出力する受光信号（ＲＣＶ信号）から得ている。
【００３３】
図３は原稿検知センサ２０による多種の原稿サイズに対する走査位置を説明するための図面である。ここでは原稿台１５上に載置される各種サイズの原稿に対する２つの光ビーム１，２を走査軌跡１，２として示している。図１３に示すように光ビーム１，２ともに基準板１６でのＳＴ信号が発生すると同時に、光ビーム１，２の走査による原稿検知を開始する。そして光ビーム１，２が基準板１６から原稿位置に向かって放射されて走査が行われる。受光素子２７からの受光信号（受信信号）ＲＣＶは、光ビーム１，２の２つの信号が一連の１つの信号として出力される。この受信信号ＲＣＶは、基準板１６の位置からＳＴ信号の発生と共に出力され、原稿端を検知するとその検知を終了する。なお、ＳＴ信号は、光ビーム１，２が各種サイズの原稿を検知する範囲で走査される。
【００３４】
図４は走査軌跡１の検知データが同一となる原稿サイズを説明するための図面であり、図５は動作の処理手順を示すフロー図である。また図６は他の動作の処理手順を示すフロー図である。図４は走査軌跡１の検知データが同一となる原稿サイズとしては、例えば、ＬＧ８．５×１４とＬＴ縦８．５×１１とがある。この２つの原稿サイズでは、図４に示すように、ＬＴ縦８．５×１１のみを光ビーム１が走査するため、走査軌跡１の検知データが同一となる。この２つの原稿サイズ（ＬＧ８．５×１４／ＬＴ縦８．５×１１）に対する選択を使用者が設定走査表示部３３からマイクロコンピュータ３２に設定する。
【００３５】
図５において、通常の原稿サイズの検知では、ＡＰＳ処理部３１での検知データをマイクロコンピュータ３２が取り込み、この取り込んだ走査軌跡１，２の２つの検知データを用いて、原稿台１５に載置した原稿サイズの向きの縦又は横を判定する（ステップＳ５０，Ｓ５１）。つぎに走査軌跡１の検知データのみを用いて、予めマイクロコンピュータ３２に記憶している各原稿サイズのライブラリと比較して検知データが、どの原稿サイズを示しているかを判定する。すなわち、縦置き原稿サイズの決定処理と横置き原稿サイズの決定処理を実行する（ステップＳ５２，Ｓ５３）。
【００３６】
図６において、このマイクロコンピュータ３２での具体的な原稿サイズの決定では、検知データがＬＧ８．５×１４又はＬＴ縦８．５×１１を示している場合、マイクロコンピュータ３２は、設定走査表示部３３から予めいずれの原稿サイズの検知設定が行われているかを判断する（ステップＳ６１，Ｓ６２）。ここでＬＧ８．５×１４の検知が予め設定されている場合（Ｓ６３：Ｙｅｓ）、この検知した原稿サイズがＬＧ８．５×１４であると決定し（ステップＳ６４）、またＬＴ縦８．５×１１の検知が予め設定されている場合、この検知した原稿サイズをＬＴ縦８．５×１１であると決定する（ステップＳ６５）。
【００３７】
このようにして第１実施形態では、走査軌跡１の検知データが同一となる原稿サイズ（ＬＧ８．５×１４とＬＴ縦８．５×１１）に対して、使用者が設定走査表示部３３から検知する原稿サイズを選択するように、マイクロコンピュータ３２に設定できるため、多種の原稿サイズから特定の原稿サイズに対する正確な検知ができるようになる。
【００３８】
つぎに第２実施形態（請求項２に対応）について説明する。この第２実施形態の構成は、図１及び図２に示されている。図７は走査軌跡１の検知データが近似する原稿サイズについて説明するための図面であり、図８は第２実施形態に対応する作動の処理手順を示すフロー図である。走査軌跡１の検知データが近似する原稿サイズは図７に示すように、例えばＬＴ横１１×８．５とＡ４横とがある。この２つの原稿サイズは、図７に示すように、ＬＴ横１１×８．５又はＡ４横の両方を走査するが、走査軌跡１の検知データは、その検出値が近似している。
【００３９】
これらは電子複写機などでの通常の複写による原稿台１５上の配置では、原稿サイズの検知に問題が生じない。しかし原稿を所定位置に正確に配置していない場合は、誤検知が発生する。このため、使用者が設定走査表示部３３がマイクロコンピュータ３２に対して、両方の原稿サイズＬＴ横１１×８．５のみの検知、又はＡ４横のみの検知の３つから、原稿サイズを選択して設定する。なお使用しないＬＴ横１１×８．５又はＡ４横の原稿サイズの一方の検知のみを設定して、その誤検知を減少するようにする。
【００４０】
第１実施形態で説明した図５において、通常時の原稿サイズの検知におけるＬＴ横１１×８．５又はＡ４横の原稿サイズの決定では、マイクロコンピュータ３２が走査軌跡１，２の２つの検知データを使用して、原稿台１５上に配置された原稿サイズの配置方向が縦か、又は横かをマイクロコンピュータ３２が判定する。つぎに走査軌跡１の検知データのみに基づいて、予めマイクロコンピュータ３２に記憶している各原稿サイズのライブラリと比較して、検知データがどの原稿サイズであるかを判断する。
【００４１】
この原稿サイズの判断の具体例では、図８に示すように、検知データがＬＴ横１１×８．５を示している場合、次に、マイクロコンピュータ３２は設定走査表示部３３からＬＴ横１１×８．５の検知を行う設定が予め行われているかを判断する（ステップＳ８０，Ｓ８１）。ＬＴ横１１×８．５に対する検知の設定が予め行われている場合（Ｓ８２：Ｙｅｓ）、ＬＴ横１１×８．５の原稿サイズであると決定する（ステップＳ８３）。ステップＳ８２でＬＴ横１１×８．５の検知設定が予め行われていない場合は、原稿台１５上に配置された原稿サイズがＡ４横であると決定する（ステップＳ８４）。また、検知データが、ＬＴ横１１×８．５を示しておらず（Ｓ８１：Ｎｏ）、Ａ４横の場合は（Ｓ８５：Ｙｅｓ）、つぎにマイクロコンピュータ３２は、設定走査表示部３３からＡ４横の原稿サイズの検知を行うように予め設定されているかを判断する（ステップＳ８６）。
【００４２】
Ａ４横の検知が設定されている場合（Ｓ８６：Ｙｅｓ）、原稿台１５上に配置されている原稿サイズがＡ４横であると決定する（ステップＳ８７）。ここで設定走査表示部３３から両方（ＬＴ横１１×８．５及びＡ４横）の原稿サイズの検知が設定されていると、ＬＴ横１１×８．５及びＡ４横のそれぞれの検知が予め設定（許可）されているものと判断し、また一方のみの例えば、ＬＴ横１１×８．５の検知の設定が行われている場合、その一方（ＬＴ横１１×８．５）の原稿サイズの検知が設定されていると判断する（ステップＳ８８）。
【００４３】
このように第２実施形態では、検知データが近似する原稿サイズ（ＬＴ横１１×８．５及びＡ４横）を検知する場合、この両方又は一方の原稿サイズを検知するように、使用者が設定走査表示部３３からマイクロコンピュータ３２に設定している。すなわち使用しない原稿サイズの検知禁止を使用者が設定走査表示部３３から設定しているため、検知データが近似する原稿サイズに対する誤検知が低減するようになる。
【００４４】
つぎに第３実施形態（請求項３，４に対応）について説明する。この第３実施形態の構成は、図１及び図２に示されている。図９は同一の検知データとなる３つの原稿サイズの検知について説明するための図面であり、図１０は第３実施形態に対応する作動の処理手順を示すフロー図である。また図１１はこの第３実施形態で追加した１ビームセンサ４０を説明するための図面である。
【００４５】
走査軌跡１の検知データが同一となる３つの原稿サイズは、図９に示すように例えばＬＴ縦８．５×１１，Ｆ８．５×１３及びＬＧ８．５×１４がある。この場合３つの原稿サイズでは、図９に示すようにＬＴ縦８．５×１１の原稿のみから走査軌跡１が得られ、その検知データが同一である。ここでは１ビームセンサ４０を図９の位置に設けている。
【００４６】
１ビームセンサ４０は、原稿検知センサ２０と共に、図１０に示すように、原稿台１５の下方から原稿（Ｆ８．５×１３又はＬＧ８．５×１４）の有無を検知するように配置されている。１ビームセンサ４０は、発光ダイオード４０ａが斜めに光ビームを放射し、この光ビームが原稿台１５上の原稿で反射して受光素子４０ｂに入射し、ここからの受光信号が図１の検知信号処理部３０のＡＰＳ処理部３１でＡ／Ｄ変換されてマイクロコンピュータ３２が取り込む。
【００４７】
この１ビームセンサ４０は、原稿台１５上にＬＴ縦８．５×１１が配置された状態では、受光素子４０ｂから光電変換信号（受光信号）が出力されない。すなわち１ビームセンサ４０での動作がオフ状態である。またＦ８．５×１３又はＬＧ８．５×１４が原稿台１５上に配置された場合は、受光素子４０ｂから光電変換信号（受光信号）が出力される。すなわち１ビームセンサ４０がオン状態となる。更に、図１中の設定走査表示部３３からマイクロコンピュータ３２に１ビームセンサ４０からのオン信号を取り込んだ場合、Ｆ８．５×１３又はＬＧ８．５×１４のどちらかを検知するように予め設定する。
【００４８】
まず、図５及び図１０において、図５の処理のように原稿検知センサ２０からの検知データを検知信号処理部３０が取り込み、取り込んだ走査軌跡１，２の２つの検知データを用いて、原稿台１５に配置している原稿サイズの向きが縦か、又は、横かを判定する。つぎに走査軌跡１の検知データのみで、予めマイクロコンピュータ３２に記憶している各原稿サイズのライブラリと比較して、検知データがどの原稿サイズを示しているかを判定する。
【００４９】
つぎに図１０の具体的な処理手順では、検知データがＬＴ縦８．５×１１，Ｆ８．５×１３又はＬＧ８．５×１４の原稿サイズを示している場合（ステップＳ１００，Ｓ１０１：Ｙｅｓ）、つぎに１ビームセンサ４０のオン／オフ状態を調べる。１ビームセンサ４０の頭上の原稿台１５上にＦ８．５×１３又はＬＧ８．５×１４の原稿が配置されている場合、１ビームセンサ４０は、反射光を受光してオン状態となり、また、ＬＴ縦８．５×１１が原稿台１５に配置されている場合は、オフとなる（ステップＳ１０２）。
【００５０】
１ビームセンサ４０が、オフの場合（ステップＳ１０２：Ｙｅｓ）は、１ビームセンサ４０の頭上の原稿台１５上の原稿は、ＬＴ縦８．５×１１であるとマイクロコンピュータ３２が判定する（ステップＳ１０３）。１ビームセンサ４０がオンの場合（Ｓ１０２：Ｎｏ）、原稿台１５上に原稿が配置されているとマイクロコンピュータ３２が判断する。そして、その原稿サイズは、設定走査表示部３３から予め設定している原稿サイズであると決定する。
【００５１】
すなわち設定走査表示部３３において、ＬＧ８．５×１４の検知設定が予め行われている場合（Ｓ１０４：Ｙｅｓ）、原稿サイズがＬＧ８．５×１４であると決定する（ステップＳ１０５）。またＬＧ８．５×１４が予め設定されていない場合（Ｓ１０４：Ｎｏ）、原稿サイズがＦ８．５×１３であると決定する（ステップＳ１０６）。
【００５２】
このように、この第３実施形態では、走査型原稿検知センサ２０及び１ビームセンサ４０によって、３つの同一の検知データとなる原稿サイズ（ＬＴ縦８．５×１１，Ｆ８．５×１３及びＬＧ８．５×１４）に対して２つの原稿サイズに対する正確な検知ができるようになる。
【００５３】
【発明の効果】
以上の説明から明らかなように、請求項１に記載の発明によれば、第１走査軌跡の検知データが同一となる原稿サイズに対して、使用者が設定走査表示部などから検知する原稿サイズを選択するように設定できるため、多種の原稿サイズから特定の原稿サイズに対する正確な検知をすることができるという効果がある。
【００５４】
また請求項２に記載の発明によれば、検知データが近似する原稿サイズを検知する場合、この両方又は一方の原稿サイズを検知するように使用者が設定走査表示部などから設定している。すなわち使用しない原稿サイズの検知禁止を使用者が設定走査表示部から設定しているため、検知データが近似する原稿サイズに対する誤検知が低減することができるという効果がある。
【００５５】
さらに請求項３，４に記載の発明によれば、請求項１，２に記載の原稿検知センサ及び１ビームセンサによって、３つの同一の検知データとなる原稿サイズに対して２つの原稿サイズに対する正確な検知することができるという効果がある。
【図面の簡単な説明】
【図１】本発明の第１、第２、第３実施形態の構成を示す斜視／ブロック図である。
【図２】図１中の回転ミラーの作動の説明図である。
【図３】図１中の走査型原稿検知センサによる多種の原稿サイズに対する走査位置の説明図である。
【図４】第１実施形態にあって第１の走査軌跡の検知データが同一となる原稿サイズの説明図である。
【図５】第１実施形態の作動の処理手順を示すフロー図である。
【図６】第１実施形態の他の作動の処理手順を示すフロー図である。
【図７】第２実施形態の第１走査軌跡の検知データが近似する原稿サイズを説明するための図面である。
【図８】第２実施形態の作動の処理手順を示すフロー図である。
【図９】第３実施形態にあって同一の検知データとなる３つの原稿サイズの検知について説明するための図面である。
【図１０】第３実施形態の作動の処理手順を示すフロー図である。
【図１１】第３実施形態における１ビームセンサを説明するための図面である。
【図１２】本発明と同種の従来の原稿検知装置の構成及び作動の概略説明図である。
【図１３】同上の作動説明図である。
【符号の説明】
１５  原稿台
１６  基準板
２０  原稿検知センサ
２１  エンコーダ部
２２  三角台
２３ａ，２３ｂ  回転ミラー
２４  発光ダイオード
２５  微分反射ミラー
２６  レンズ
２７  受光素子
３０  検知信号処理部
３１  ＡＰＳ処理部
３２  マイクロコンピュータ
３３  設定走査表示部
４０  １ビームセンサ
４０ａ  発光ダイオード
４０ｂ  受光素子
【図１】
0003608951.tif 000002
【図２】
0003608951.tif 000003
【図３】
0003608951.tif 000004
【図４】
0003608951.tif 000005
【図５】
0003608951.tif 000006
【図６】
0003608951.tif 000007
【図７】
0003608951.tif 000008
【図８】
0003608951.tif 000009
【図９】
0003608951.tif 000010
【図１０】
0003608951.tif 000011
【図１１】
0003608951.tif 000012
【図１２】
0003608951.tif 000013
【図１３】
0003608951.tif 000014